(57)【要約】【課題】  本発明は建物の少なくとも一部を隠蔽可能とする扉を有する格子面材を備えるとともに、外観の優れた目隠し装置を提供する。【解決手段】複数の横材と縦材とを格子状に形成した格子面材を備え、該格子面材を立設し、建物の一部を外部から隠す建物の目隠し装置であって、一部に室内外を通じる開口部が設けられた前記格子面材である固定格子と、開口部に設けられた格子面材の扉である格子扉と、固定格子より室内側の開口部の幅方向端部のうち一方の端部に近接して立設された柱と、格子扉と柱とを回動可能に連結し、格子扉の室外側端面よりも室内側に配置された蝶番とを備え、格子扉の閉鎖時に、固定格子及び格子扉の室外側端面が面一に配置され、縦材がいずれの部位でも等間隔であり、格子扉の開放時に、格子扉が、開口面に対して室内外側に９０度以上回動可能であることを特徴とする。【選択図】      図５
2007002599.tif 000002
【特許請求の範囲】
【請求項１】
複数の横材と等間隔に配置された複数の縦材とが格子状に組み合わされて形成された格子面材を備え、当該格子面材が立設され、建物の一部を外部の視線から隠蔽する建物の目隠し装置であって、
一部に室内外を通じる開口部が設けられた前記格子面材である固定格子と、
前記開口部に設けられ、前記格子面材で形成された扉である格子扉と、
前記固定格子より室内側で、前記開口部の幅方向端部のうちの少なくとも一方の当該端部に近接して立設された柱と、
前記格子扉と前記柱とを回動可能に連結し、前記格子扉の室外側端面よりも室内側に配置された蝶番と、を備え、
前記格子扉の閉鎖時に、前記固定格子及び前記格子扉の室外側端面が面一に配置されるとともに、前記固定格子及び前記格子扉の前記縦材がいずれの部位でも等間隔であり、
前記格子扉の開放時に、前記格子扉が、前記開口部の開口面に対して室内外側のいずれにも９０度以上の範囲で回動可能であることを特徴とする建物の目隠し装置。
【請求項２】
前記蝶番の回動軸が、
前記格子扉の回動範囲内で、前記格子扉の室外側端面のいずれの部位も前記固定格子及び前記柱に接することなく、かつ、前記格子扉の室内側端面のいずれの部位も前記柱に接することのない水平面内位置に設けられる請求項１に記載の建物の目隠し装置。
【発明の詳細な説明】
【技術分野】
【０００１】
本発明は、建物の玄関、バルコニー、テラス等、特に外部の視線から隠蔽したい建物の部位を見え難くくし、かつ出入のための扉を有する建物の目隠し装置に関する。
【背景技術】
【０００２】
近年の住宅等の建物において、庭やテラス等のような外部の雰囲気を取り入れた開放的な空間をできるだけ広く確保したい、又は、従来は壁等に囲まれて密閉された雰囲気であった、例えば浴室やリビング等を開放的な空間にしたいという要望が増加している。かかる要望の場合、特に他の建物や公道等に隣接した建物の部位に上述のような空間を配置すると当該空間の性質上、室外から室内の様子を伺い知ることができ、プライバシー保護の観点から好ましくない。そのため、このような場合に、外部から室内を見え難くするための目隠し装置があれば、プライバシー保護等が可能である。
【０００３】
一方、上述の目隠し装置が１枚の板や壁で構成されている場合には、空間を外部から隠蔽することは可能となるが、開放的な空間とは言い難くなってしまう。そこで複数の縦材と横材とを格子状に組み合わせて形成した格子面材を備える目隠し装置が利用されている。当該格子面材を備えることにより、上述した空間を好適に外部の視線から隠蔽することができるとともに、当該空間の開放感を維持することも可能となる。
【０００４】
これら格子を利用した目隠し装置に関し、開示している文献等は特にないが、かかる技術については、当業者により行われている事項である。
【発明の開示】
【発明が解決しようとする課題】
【０００５】
しかしながら、近年におけるこれら目隠し装置において、さらに利便性を向上し、目隠し装置に内外を通じる開口部を設け、当該開口部に扉を取り付けたいという要望が増加している。この際、開口部に開閉可能に扉が取り付けられたものの、扉の蝶番等の部材が室外側に突出しているために外観上好ましくないという問題があった。また、蝶番等の部材を外部の視線から隠蔽して配置しようとすると、規則的に配置されることによって優れた外観を備えた格子の間隔や配置が、扉の部分と他の部分とで異なってしまう虞があるという問題があった。以上のことは、住宅等の建物が備える重要な要素の１つである、外観における美観や意匠性を損なう虞があり、問題となっていた。
【０００６】
そこで、本発明は建物の少なくとも一部を隠蔽可能とする扉を有する格子面材を備えるとともに、外観の優れた目隠し装置を提供することを課題とする。
【０００７】
ここで「隠蔽する」には、完全に見えなくするという意味の他に、一部を見えなくする及び不明瞭にする等の「見え難くする」の意味も含むこととする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１の発明は、複数の横材（１２、３２）と等間隔に配置された複数の縦材（１１、３１）とが格子状に組み合わされて形成された格子面材（１０、３０）を備え、当該格子面材が立設され、建物の一部を外部の視線から隠蔽する建物の目隠し装置（１００）であって、一部に室内外を通じる開口部（５０）が設けられた格子面材である固定格子（３０）と、開口部に設けられ、格子面材で形成された扉である格子扉（１０）と、固定格子より室内側で、開口部の幅方向端部のうちの少なくとも一方の当該端部に近接して立設された柱（６０）と、格子扉と柱とを回動可能に連結し、格子扉の室外側端面よりも室内側に配置された蝶番（７０、７１）と、を備え、格子扉の閉鎖時に、固定格子及び格子扉の室外側端面が面一に配置されるとともに、固定格子及び格子扉の縦材がいずれの部位でも等間隔であり、格子扉の開放時に、格子扉が、開口部の開口面に対して室内外側のいずれにも９０度以上の範囲で回動可能であることを特徴とする建物の目隠し装置を提供することにより前記課題を解決する。
【００１０】
「室内外」とは、必ずしも室外と室内との関係に限らず、目隠し装置を挟んで一方と他方という意味も含むものとする。従って、例えば住宅の庭と公道との間に目隠し装置が配置された場合には、庭と公道との関係を「室内外」とする。
【００１１】
請求項２の発明は、請求項１に記載の建物の目隠し装置は、蝶番（７０、７１）の回動軸が、格子扉（１０）の回動範囲内で、格子扉の室外側端面のいずれの部位も固定格子（３０）及び柱（６０）に接することなく、かつ、格子扉の室内側端面のいずれの部位も柱に接することのない水平面内位置に設けられる。
【００１２】
本発明の建物の目隠し装置が使用される建物の部位には、建物におけるあらゆる部位が含まれる。例えば、玄関、リビング、浴室、中庭、前庭、バルコニー等を挙げることができる。また、建物についても住宅に限定されず、あらゆる種類の建物とすることができる。例えば店舗、オフィスビル、公共施設等を挙げることができる。さらに、目隠し装置の一方と他方が屋内外関係である必要はなく、例えばビルの中の店舗等であっても良い。
【発明の効果】
【００１３】
請求項１の発明によれば、目隠し装置に扉が備えられ、当該扉の開放により通過可能となった開口部から出入りができ、利便性の高い目隠し装置とすることができる。また、扉の閉鎖の姿勢では、扉を有するにもかかわらず、縦材のピッチが一定で、かつ、室外視で蝶番等が突出していないので、美的外観にも優れた目隠し装置とすることができる。さらには、いずれの部位においても格子の間隔が一定であることにより、扉の有無の判断がつき難く、美的外観に優れるだけでなく、賊等が侵入を試みるきっかけを喪失させ、防犯性にも優れた目隠し装置とすることができる。
【００１４】
また、施工時においては、蝶番等の変更をすることなしに扉の開閉方向の選択が可能となり、汎用性の高い目隠し装置とすることができる。
【００１５】
請求項２の発明によれば、縦材のピッチや断面形状の変更に対しても、これに合わせて格子扉の回動軸の位置を変化させれば良く、様々なバリエーションを有する目隠し装置とすることができる。
【００１６】
本発明のこのような作用及び利得は、次に説明する発明を実施するための最良の形態から明らかにされる。
【発明を実施するための最良の形態】
【００１７】
以下本発明を図面に示す実施形態に基づき説明する。
【００１８】
図１及び図２は、第一実施形態にかかる建物の目隠し装置１００の室外側斜視図である。図１は扉（格子扉１０）を閉じた姿勢、図２は扉（格子扉１０）を開放した姿勢を示している。図１及び図２では、紙面左が室内側、紙面右が室外側である。建物の目隠し装置１００の室内側には、外部から隠蔽されることが望まれる建物の空間等が配置される。一方、建物の目隠し装置１００の室外側は、例えば隣地や公道等のような上述の外部に相当する部分である。
【００１９】
本発明の建物の目隠し装置１００（以下に「目隠し装置１００」と省略して記述することがある。）は、格子扉１０と固定格子３０とを主要部材として備えている。図２からわかるように、格子扉１０は目隠し装置１００の一部に設けられた開口部５０に配置される扉である。格子扉１０は、当該格子扉１０の鉛直である一辺を中心に回動することにより開閉するいわゆるスイング式の扉である。目隠し装置１００の他の部材及びその配置については、後に詳しく説明する。
【００２０】
図２に示すように、格子扉１０は、鉛直に配置された複数の縦材１１、１１、…と全ての当該縦材１１、１１、…の室内側の面に渡して取付けられた略水平である２本横材１２、１２とが組み合わされて形成されている。縦材１１、１１、…の下面は地面と若干の距離を有して配置され、上面は開口部５０と略同一の鉛直方向位置となるように配置されている。
【００２１】
また、固定格子３０は、鉛直に配置された複数の縦材３１、３１、…と当該縦材３１、３１、…の室内側の面に渡して取付けられた略水平である横材３２、３２とが組み合わされて形成されている（図３参照）。固定格子３０は、当該固定格子３０の室内側に設けられた柱３３、３４に固定されて立設している。（図３、図４参照）。また、固定格子３０は全体として開口部５０を取り囲むように構成されているが、一方で、固定格子３０により開口部５０が形成されているということもできる。そして、開口部５０に上述のように格子扉１０が配置される。
【００２２】
図１に示したように、格子扉１０が閉鎖された姿勢では、格子扉１０の室外側の面と固定格子３０の室外側の面とが略同一平面上に配置される。さらに、格子扉１０を構成する縦材１１の上部から延設されたように固定格子３０の縦材３１が配置される。これにより格子扉１０が閉じられた姿勢では、当該格子扉１０と固定格子３０とが一体化したように見え、格子扉の有無を認識し難い。さらには、格子扉１０、固定格子３０及び両者の境界のいずれの部位においても、目隠し装置１００の全体に亘って縦材１１、１１、…、３１、３１、…のピッチは一定である。
【００２３】
これにより、室外側から見たときに意匠性に優れた目隠し装置１００とすることができる。さらには、扉が無いように見えることにより、賊等が建物に侵入しようと試みるきっかけを喪失させ、防犯性に優れた扉を有する目隠し装置とすることもできる。
【００２４】
図２に示したように、格子扉１０が開放された姿勢では、当該格子扉１０を開放したことにより開口部５０からの出入が自由となる。これにより、利便性に優れた目隠し装置１００とすることができる。
【００２５】
ここで、目隠し装置１００の縦材１１、１１、…、３１、３１、…、横材１２、１２、３２、３２に用いられる材料は特に限定されるものではない。通常の当業者により採用される材料が適宜使用可能である。これには例えばアルミニウム、木材等を挙げることができる。
【００２６】
図３は、格子扉１０が室外側に開かれたときの目隠し装置１００の室内側斜視図である。図３では、当該格子扉１０が見易いように固定格子３０の縦材３１の一部を省略して示している。目隠し装置１００は、柱３３、３４、６０、６１を備えている。このうち柱３３、３４は、固定格子３０の室内側で当該固定格子３０と略同じ高さであり、固定格子３０が取り付けられる。一方、柱６０、６１は、固定格子３０より室内側で、開口部５０の幅方向両端部に隣接した位置に立設されている。また、その高さは開口部５０と略同一である。
【００２７】
そして、格子扉１０の横材１２、１２の一端と、柱６０、６１のうちの一方の柱６０とが蝶番７０、８０を介して連結されている。従って格子扉１０は、蝶番７０、８０により、当該蝶番７０、８０が取付けられた端部を中心に回動し、格子扉１０の開閉が可能とされている。蝶番７０、８０の構造及びその取付位置等は後で詳しく説明する。
【００２８】
また、格子扉１０の鉛直方向略中央で、かつ、蝶番７０、８０の取付けられていない側の端部には、施錠手段６５が取付けられている。一方、柱６０、６１のうちの蝶番７０、８０の取付けられていない他方の柱６１には、格子扉１０の閉じた姿勢における施錠手段６５に対応した位置に当該施錠手段６５に係合する係合手段６６が備えられている。これら施錠手段６５と係合手段６６とにより、格子扉１０は施錠されることができる。また、当該施錠手段６５と係合手段６６とは、格子扉１０が閉鎖の姿勢において必要以上に回動しないように不図示のストッパ部材も有している。これにより、格子扉１０が開口部５０よりも室内側に回動することが禁止される。
【００２９】
図４は、格子扉１０が室内側に開かれたときの目隠し装置１００の室内側斜視図である。図４では、当該格子扉１０が見易いように固定格子３０の縦材３１の一部を省略して示している。このように、図３の場合と異なり、目隠し装置１００の格子扉１０は、室内側にも開くことが可能である。この場合には、上述した不図示のストッパ部材が図３とは反対に、格子扉１０が室外側に回動することを禁止するように取り付けられる。これにより、格子扉１０は室内側への回動により扉の開閉がされるようになる。
【００３０】
格子扉１０を図３に示したように室外側へ回動可能とするか、図４に示したように室内側へ回動可能とするかの選択は、目隠し装置１００が設置される周りの状況や環境によって選択される。目隠し装置１００では、いずれの場合においても施工時においてストッパの設定を変えるのみで、他の部位に変更を加えることなく、室内側にのみに回動可能な格子扉か、室外側にのみ回動可能な格子扉かのいずれの格子扉にもすることができる。さらには、ストッパを取付けない場合もある。この場合には、格子扉は室内外方向のいずれの方向にも開閉することができる。
【００３１】
ストッパは、通常の当業者によって扉に適用されるあらゆる形式のストッパを使用することが可能である。これには例えば室内外方向に重なるように配置された１対の板材が当接されることにより回動を禁止するようなストッパを挙げることができる。いずれにおいても、扉の回動範囲を制限するストッパであれば特に限定されるものではない。
【００３２】
また、目隠し装置１００における格子扉１０の縦材１１、１１、…及び固定格子３０の縦材３１、３１、…は、同一の断面形状を有し、かつ同一のピッチで配置されている。加えて、蝶番等の連結部材が室外側に突出しないで配置され、室外視から隠蔽されている。当該断面形状、ピッチ及び蝶番の構造等については後で説明するが、目隠し装置１００の全体に亘って同一断面形状及び同一ピッチの縦材１１、１１、…、３１、３１、…とすることにより、格子扉１０を閉鎖した時に、上述のように外観上優れた目隠し装置とすることができる。
【００３３】
次に蝶番７０、８０の構造について説明する。図５は、図３における蝶番７０の周辺部位を拡大して示した斜視図である。目隠し装置１００に備えられた２つの蝶番７０及び蝶番８０は同一の構造を有しており、配置も鉛直方向位置以外は同じなので、ここでは蝶番７０についてのみ説明する。蝶番７０は、２つのアーム７１、７２と、柱取付板７３と、横材取付部材７４とを主要部材として備えている。柱取付板７３は矩形の板状の部材であり、当該柱取付板７３の対向する１対の端部のそれぞれからアーム７１、７２が延設されている。アーム７１、７２は略水平に配置された板材で、その一端を上述のように取付部材７３に一体に取り付けられている。アーム７１、７２は、略Ｌ字型の形状を有する板材であり、アーム７１とアーム７２とは同じ向きとされている。また、アーム７１、７２の取付部材７３と接合されていない側の端部には貫通孔７１ａ、７２ａが設けられている（７２ａは図５では死角となり見えない。）。一方、横材取付部材７４は、板材をコの字に形成した部材である。断面がコの字型である横材取付部材７４の対向する一対の部位（辺）の間隔は、上述の２つのアーム７１、７２の間隔よりも若干小さくされている。従って、後述するように、２つのアーム７１、７２の間に横材取付部材７４が挿入可能となっている。
【００３４】
以上のような構造を有する蝶番７０を柱６０と横材１２とに取り付ける。その配置は以下の通りである。柱取付板７３が柱６０の室内外方向に平行で格子扉１０に近い側の面に沿って、格子扉１０の横材１２と略同じ鉛直方向位置にねじにより取付けられる。このときアーム７１、７２は鉛直方向上下に配置されるとともに、孔７１ａ、７１ｂが室外側となるように配設される。一方、横材取付部材７４は、横材１２を室内側から囲むように配置され、当該横材１２の端部にねじにより固定される。
【００３５】
次に、２つのアーム７１、７２の間に横材取付部材７４を配置し、孔７１ａ、７２ａ及び、当該孔７１ａ、７２ａに対応して設けられた横材取付部材７４の孔（不図示）とを通じた軸（不図示）を取り付ける。これにより、柱６０側に取付けられた柱取付板７３及びアーム７１、７２と、横材１２側に取付けられた横材取付部材７４とが軸を介して回動可能に連結される。以上により、柱６０と格子扉１０とが回動可能に取付けられる。
【００３６】
以上のような配置及び取り付けは蝶番８０においても同様におこなわれ、格子扉１０は蝶番７０及び蝶番８０により柱６０に回動可能に取付けられる。
【００３７】
次に縦材１１、１１、…、３１、３１、…、柱６０及び横材１２、１２等の位置関係について説明する。図６（ａ）は、蝶番７０の周辺に注目し、拡大して模式的に示した目隠し装置１００の上面図である。図６（ｂ）は、図６（ａ）に説明のための符号を付した図であり、当該符号については後述する。図６においては、紙面上が室外側、紙面下が室内側であり、格子扉１０は閉鎖されている姿勢である。上述したような目隠し装置１００の構造及び格子扉１０の回動の軌跡等を考慮すると、目隠し装置１００の各部材の位置関係を決定するための条件として、以下のような項目を挙げることができる。
（１）縦材１１、１１、…、３１、３１、…が目隠し装置１００の全体に亘って等しいピッチを有していること。
（２）蝶番７０が室外側へ突出して配置されないこと。
（３）蝶番７０を変更することなく格子扉１０を室内外方向のいずれにも適切に回動可能とすること。ここで「適切に回動可能」とは、格子扉１０が室内外方向に平行な姿勢とされる位置以上に回動することができることを意味し、開口部５０の開口面に対して少なくとも９０度の角度を有する姿勢にまで回動できるということである。また、「回動可能」とは、格子扉１０が他の部材の干渉を受けることなく回動することができることを意味する。
【００３８】
上述した構造を有する目隠し装置１００で、以上のような条件を満たすためには以下の要件を全て満たすように、縦材１１、１１、…、３１、３１、…のピッチ、縦材１１、１１、…、３１、３１、…の断面形状、横材１２の厚さ及び回動の軸の位置を決めれば良い。
（i）格子扉１０が室外側に回動する場合に、当該格子扉１０が開口部５０に平行である姿勢から、当該開口部５０に対して９０度の姿勢となる回動範囲内で、格子扉１０の幅方向両端面のうち蝶番７０が取付けられている端面１０ａ上で最も室外側である部位が他のいずれの部材とも干渉することなく回動することができる。
（ii）格子扉１０が室外側に回動する場合に、当該格子扉１０が開口部５０に平行である姿勢から、当該開口部５０に対して９０度の姿勢となる回動範囲内で、格子扉１０の幅方向両端面のうち蝶番７０が取付けられている端面１０ａが、他のいずれの部材とも干渉することなく回動することができる。
（iii）格子扉１０が室外側に回動する場合に、当該格子扉１０が開口部５０に平行である姿勢から、当該開口部５０に対して９０度の姿勢となる回動範囲内で、格子扉１０の幅方向両端面のうち蝶番７０が取付けられている端面１０ａ上で最も室内側である部位が他のいずれの部材とも干渉することなく回動することができる。
（iv）格子扉１０が室内側に回動する場合に、当該格子扉１０が開口部５０に平行である姿勢から、当該開口部５０に対して９０度の姿勢となる回動範囲内で、格子扉１０の室内側の端面が他のいずれの部材とも干渉することなく回動することができる。
【００３９】
さらに具体的に説明する。説明のため、図６（ｂ）に各部材の位置関係を示すための便宜上の符号を付した。各符号が有する意味は次の通りである。
（１）軸Ａは、格子扉１０の回動軸を示す点である。
（２）点Ｂは、格子扉１０の縦材１１のうち蝶番７０が備えられる最端部にある縦材１１（以降「縦材１１ａ」と記述することがある。）における当該縦材１１ａの室外側かつ固定格子３０側の角部を示す。
（３）破線Ｃは、開口部５０（図２参照）を形成する固定格子３０の鉛直方向端面のうち蝶番７０が備えられている方の端面を示す線である。
（４）点Ｄは、格子扉１０の横材１２のうち蝶番７０側の端部で、室内側かつ固定格子３０側の角部を示す。
（５）点Ｅは、格子扉１０の閉鎖の姿勢で、当該格子扉１０に最も近い柱６０の部位を示す。
（６）破線Ｆは、格子扉１０の閉鎖の姿勢における室内側端面を示す。
（７）ピッチＰ１は、破線Ｃに接して配置されている固定格子３０の縦材３１（以降「縦材３１ａ」と記述することがある。）と、縦材１１ａとの幅方向（紙面左右方向）中心線間距離を示す。
（８）ピッチＰ２は、格子扉１１の縦材の隣り合う縦材同士のピッチを示す。ピッチＰ２の大きさは、固定格子３０の縦材３１の隣り合う縦材同士のピッチと同じである。
ここで上述のように、Ｐ１とＰ２とは同じ大きさであるので、以後、まとめてピッチＰと示すことがある。
（９）距離Ｔは、格子扉１０の厚みを示す。
（１０）幅Ｗは、縦材１１、３１の幅を示す。
（１１）距離Ｘは、格子扉１０の端面１０ａから軸Ａまでの幅方向距離を示す。
（１２）距離Ｙは、格子扉１０の室外側端面から軸Ａまでの室内外方向距離を示す。
【００４０】
まず上述の（i）を満たすための条件について説明する。（i）に記載した「格子扉１０の幅方向両端面のうち蝶番７０が取付けられている端面１０ａ上で最も室外側である部位」は、図６では点Ｂを示す。従って格子扉１０が図６に示した姿勢から室外側に９０度回動する範囲内で、点Ｂが他の部位に接することがなければ良い。図６においては、点Ｂが接することが危惧されるのは、破線Ｃの部位である。よって、点Ｂが破線Ｃに接しないように各部の寸法、位置を決定すれば良い。その際に各部の関係を以下のように求めることができる。
軸Ａと点Ｂとの距離（以下、ＡＢと示すことがある。）は、
ＡＢ＝（Ｘ２＋Ｙ２）０．５    （式１）
また、軸Ａと格子３１ａとの幅方向の距離は、
Ｐ−Ｗ＋Ｘ    （式２）
で表すことができる。このとき点Ｂが軸Ａを中心に回動したときに、最も破線Ｃに近づくのは、格子扉１０が開口部に対して９０度となったときである。これは、軸Ａと格子３１ａとの幅方向距離の向きと一致する。従って、（式１）及び（式２）より、
（Ｘ２＋Ｙ２）０．５＜Ｐ−Ｗ＋Ｘ    （式３）
という関係を満たせば、点Ｂは固定格子３０には接しないで回動することができる。よって、（式３）を満たすように各部位の寸法及び配置を決定することにより、上述の（ｉ）を満たすことができる。
【００４１】
次に上述の（ii）を満たすための条件について説明する。（ii）に記載した「格子扉１０の幅方向両端面のうち蝶番７０が取付けられている端面１０ａ」は、図６では端面１０ａを示す。従って格子扉１０が図６に示した姿勢から室外側に９０度回動する範囲内で、端面１０ａが他の部位に接することがなければ良い。図６においては、端面１０ａが接することが危惧されるのは、柱６０の室外側面６０ａである。よって、端面１０ａが面６０ａに接しないように各部の寸法、位置を決定すれば良い。その際に各部の関係を以下のように求めることができる。
格子扉１０が開口部５０に対して室外側に９０度以上に開くことができるのは、図６中にＺ１で示した面６０ａと軸Ａとの室内外方向距離Ｚ１が、距離Ｘよりも大きい場合である従って、
Ｚ１＞Ｘ    （式４）
という関係を満たせば、端面１０ａは柱６０に接することなく室外方向に９０度以上回動させることができる。よって、（式４）を満たすように各部位の寸法及び配置を決定することにより、上述の（ii）を満たすことができる。
【００４２】
次に、上述の（iii）を満たすための条件について説明する。（iii）に記載した「格子扉１０の幅方向両端面のうち蝶番７０が取付けられている端面１０ａ上で最も室内側である部位」は、図６では点Ｄを示す。従って格子扉１０が図６に示した姿勢から室外側に９０度回動する範囲内で、点Ｄが他の部位に接することがなければ良い。図６においては、点Ｄが接することが危惧されるのは、点Ｅである。よって、点Ｄが点Ｅに接しないように各部の寸法、位置を決定すれば良い。その際に各部の関係を以下のように求めることができる。
軸Ａと点Ｄとの距離（以下、ＡＤと示すことがある。）は、
ＡＤ＝（Ｘ２＋（Ｔ−Ｙ）２）０．５    （式５）
で表すことができる。このとき軸Ａと点Ｄとを結ぶ線が軸Ａを中心に回動したときに、点Ｄが最も点Ｅに近づくのは、軸Ａと点Ｄと点Ｅとが一直線上に並んだ場合である。従って、軸Ａと点Ｅとの距離（以下ＡＥと記述することがある。）との関係により、
ＡＥ＞（Ｘ２＋（Ｔ−Ｙ）２）０．５    （式６）
を満たせば、点Ｄは点Ｅに接しないで回動することができる。よって、（式６）を満たすように各部位の寸法及び配置を決定することにより、上述の（iii）を満たすことができる。
【００４３】
次に上述の（iv）を満たすための条件について説明する。（iv）に記載した「格子扉１０の室内側の端面」は、図６では破線Ｆを示す。従って格子扉１０が図６に示した姿勢から室内側に９０度回動する範囲内で、破線Ｆの面が他の部位に接することがなければ良い。図６においては、破線Ｆが接することが危惧されるのは、柱６０の面６０ｂである。よって、破線Ｆが面６０ｂに接しないように各部の寸法、位置を決定すれば良い。その際に各部の関係を以下のように求めることができる。
格子扉１０が開口部５０に対して室内側に９０度以上に開くことができるのは、図６中にＺ２で示した面６０ｂと軸Ａとの幅方向距離Ｚ２が、Ｔ−Ｙよりも大きい場合である。従って、
Ｚ２＞Ｔ−Ｙ    （式７）
という関係を満たせば、破線Ｆは柱６０に接することなく室内方向に９０度以上回動することができる。よって、（式７）を満たすように各部位の寸法及び配置を決定することにより、上述の（iv）を満たすことができる。
【００４４】
以上のように、上述のような各構成部材を備えた目隠し装置とし、さらに（式３）、（式４）、（式６）及び（式７）を満たす寸法及び配置がされた目隠し装置とされることにより、建物の少なくとも一部を隠蔽可能とする格子状であり、扉を備えるとともに、当該扉を含めた全部を室外側から見た場合において優れた外観を有する目隠し装置とすることができる。図７に、図６に示した部位の格子扉１０が開かれた姿勢の図を示す。図７（ａ）が室外側に開かれた姿勢、図７（ｂ）が室内側に開かれた姿勢を示している。このように、目隠し装置１００では、蝶番７０が備えられる部位の変更をすることなく、室外側及び室内側のいずれの方向にも開くことが可能な格子扉１０とすることができる。
【００４５】
また、本実施形態においては、ねじの端部等が突出していない場合について記述したが、例えば、ねじの端部が突出して存在し、当該ねじの端部が格子扉の開閉の際に他の部位に接する虞がある場合には、ねじの端部の厚みが考慮された上で上述の計算等がされればよい。
【００４６】
図８は第二実施形態にかかる本発明の目隠し装置２００のうち、第一実施形態にかかる本発明の目隠し装置１００の図６（ａ）に相当する部位を示した図である。図８からわかるように、目隠し装置２００は、目隠し装置１００に加えて、室外側ストッパ部材１９０と、室外側被ストッパ部材１９１と、室内側ストッパ部材１９２とを備えている。室外側ストッパ部材１９０は、板材を略Ｌ字型に形成した部材であり、その一辺を柱１６０に接して取付けられ、他の一辺を固定格子１３０の格子扉１１０側端面の一部に接して取り付けられている。また、当該取り付けられた姿勢で、室外側の端部から格子扉１１０で室外側である斜め方向に延設された斜部１９０ａと、当該斜部１９０ａから室外側に室内外方向に平行に延設された平行部１９０ｂとを有している。
【００４７】
室外側被ストッパ部材１９１は、略コの字型に形成された基材１９１ａと、緩衝部材１９１ｂとを備えている。基材１９１ａは、格子扉１１０の室外側ストッパ部材１９０ａに最も近い縦材１１１ａと当該縦材１１１ａの隣に配置された縦材１１１との間に配置される。そして、コの字形であるうちの対面する２つの部位が室内外方向に並ぶように配置され、一方が横材１１２に取付けられる。室外側に配置された他方には、室外側に緩衝部材１９１ｂが取付けられる。室外側ストッパ部材１９０及び室外側被ストッパ部材は、いずれの部分も固定格子１３０及び格子扉１１０より室外側には突出しない。
【００４８】
一方、室内側ストッパ部材１９２は、緩衝材により形成された部材であり、蝶番１７０の柱取付け部材１７３と同じ柱６０の面で、蝶番１７０の室内側に取り付けられている。
【００４９】
以上のような室内側ストッパ部材１９０、室内側被ストッパ部材１９１及び室内側ストッパ部材１９２が取付けられることにより、前述した目隠し装置１００において計算した縦材のピッチや格子扉の回動軸の位置を再び計算する必要がある。しかし、計算の方法に変更はなく、室外側ストッパ部材１９０の肉厚や、室内側ストッパ部材１９２の厚みが考慮されれば良い。
【００５０】
図９は、図８に示した部位の格子扉１１０が、開放された姿勢の図である。図９（ａ）は室外側に開放された場合、図９（ｂ）は室内側に開放された場合を示している。図９（ａ）に示したように、室外側に格子扉１１０が開放された場合に、格子扉１１０が室内外方向に平行に配置された姿勢で、室外側ストッパ部材１９０の平行部１９０ｂと、室外側被ストッパ部材１９１の緩衝部材１９１ｂとが接し、これ以上の格子扉１１０の回動を防ぐことができる。これにより、回動しすぎて他の部位同士が接して傷がついたり、破損したりすることが防止できる。また、図９（ｂ）に示したように、室内側に格子扉１１０が開放された場合に、格子扉１１０が室内外方向に平行に配置された姿勢で、室内側ストッパ部材１９２と、横材１１２とが接し、これ以上の格子扉１１０の回動を防ぐことができる。これにより、回動しすぎて他の部位同士が接して傷がついたり、破損したりすることが防止可能となる。
【００５１】
以上のような目隠し装置を提供することにより、建物の少なくとも一部を隠蔽可能とする格子状であり、扉を備えるとともに、当該扉を含めた全部を室外側から見た場合において優れた外観を有する目隠し装置とすることができる。当該目隠し装置では、断面形状が長方形である縦材が備えられているが、上述の構成を有する目隠し装置であれば、縦材の断面形状は限定されるものではない。それには例えば、正方形の断面形状を有する縦材を挙げることができる。
【００５２】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う建物の目隠し装置もまた本発明の技術的範囲に包含されるものとして理解されなければならない。
【図面の簡単な説明】
【００５３】
【図１】第一実施形態にかかる建物の目隠し装置の室外側外観斜視図で、格子扉が閉鎖された姿勢を示している。
【図２】第一実施形態にかかる建物の目隠し装置の室外側外観斜視図で、格子扉が開放された姿勢を示している。
【図３】図２の建物の目隠し装置の格子扉が室外側に開かれて開放されたときの、建物の目隠し装置の室内側斜視図である。
【図４】格子扉が室内側に開かれて開放されたときの建物の目隠し装置の室内側斜視図である。
【図５】蝶番周辺に注目して示した斜視図である。
【図６】蝶番周辺に注目して示した上面図である。
【図７】図６で示した格子扉が開放されたときの姿勢を示した図である。
【図８】第二実施形態にかかる建物の目隠し装置の、蝶番周辺に注目して示した上面図である。
【図９】図８で示した格子扉が開放されたときの姿勢を示した図である。
【符号の説明】
【００５４】
１０  格子扉
１１  縦材
１２  横材
３０  固定格子
３１  縦材
３２  横材
５０  開口部
６０  柱
６１  柱
６５  施錠手段
６６  係合手段
６７  ストッパ部材
７０  蝶番
７１  アーム
８０  蝶番
１００  建物の目隠し装置
【図１】
2007002599.tif 000003
【図２】
2007002599.tif 000004
【図３】
2007002599.tif 000005
【図４】
2007002599.tif 000006
【図５】
2007002599.tif 000007
【図６】
2007002599.tif 000008
【図７】
2007002599.tif 000009
【図８】
2007002599.tif 000010
【図９】
2007002599.tif 000011